【事件の表示】
　特願２００５−１９８３４５「多重ドメイン液晶表示装置及びそれに用いられる表示パネル」拒絶査定不服審判事件〔平成１８年　１月２６日出願公開、特開２００６−　２３７４４〕について、次のとおり審決する。
【結　論】
　本件審判の請求は、成り立たない。
【理　由】
１　手続の経緯
　本願は、平成１７年７月７日（パリ条約による優先権主張外国庁受理２００４年７月７日、２００４年７月９日、大韓民国）を出願日とする出願であって、平成２０年３月３日付け、同年７月１５日付け及び平成２１年４月６日付けで手続補正がなされたが、同年６月３０日付けで拒絶査定がなされ、これに対し、同年１０月２８日に拒絶査定不服審判の請求がなされたものである。
　
２　本願発明
　本願の請求項に係る発明は、平成２１年４月６日付けの手続補正によって補正された明細書及び図面の記載からみて、特許請求の範囲の請求項１ないし４に記載された事項によって特定されるものと認められるところ、請求項１に係る発明（以下「本願発明」という。）は、次のとおりのものである。
　
「　第１基板、第２基板、及び、前記第１基板と前記第２基板との間に挟まれた液晶層を備えている液晶表示装置であり、
　前記第１基板は、
　絶縁基板、
　前記絶縁基板の上に形成されている第１信号線、
　前記絶縁基板の上に形成され、画素領域の中央部を横切っている維持電極線であり、他の部分より幅の広い維持電極を含む維持電極線、
　前記第１信号線と前記維持電極線の上に形成されているゲート絶縁膜、
　前記ゲート絶縁膜の上に形成されて前記第１信号線と前記維持電極線から絶縁され、前記第１信号線と交差している第２信号線、
　前記ゲート絶縁膜の上に形成され、前記維持電極の全体と重なっている結合電極、
　前記第１信号線に接続されている第１端子、前記第２信号線に接続されている第２端子、及び第３端子を含む薄膜トランジスタ、
　第１コンタクトホールと第２コンタクトホールを含み、前記第２信号線、前記結合電極、及び前記薄膜トランジスタの上に形成されている保護膜、並びに、
　前記保護膜の上に形成され、前記第１コンタクトホールを通して前記薄膜トランジスタの第３端子に接続され、前記第２コンタクトホールを通して前記結合電極に接続されている画素電極、
を有し、
　前記画素電極は、前記画素領域の第１ドメインを定める第１部分、前記画素領域の第２ドメインを定める第２部分、前記画素領域の第３ドメインを定める第３部分、及び、前記画素領域の第４ドメインを定める第４部分を含み、
　前記第１ドメインと前記第２ドメインとは前記維持電極線の片側に配置され、前記第３ドメインと前記第４ドメインとは前記維持電極線の反対側に配置され、
　前記第１基板と前記第２基板との間に電圧が印加されるとき、前記第１ドメイン、前記第２ドメイン、前記第３ドメイン、及び前記第４ドメインのそれぞれで液晶分子の平均的な傾斜方向が異なる、
液晶表示装置。」
　
３　原査定の拒絶の理由 
（１）平成２０年１０月１日付け拒絶の理由 
　平成２０年１０月１日付けで通知した拒絶の理由は、次に抜粋して示すとおりのものである。 
　
「　　　　　　　　　＜＜＜＜　　最　　後　　＞＞＞＞
　この出願は、次の理由によって拒絶をすべきものです。これについて意見が
ありましたら、この通知書の発送の日から３か月以内に意見書を提出してくだ
さい。
　　　　　　　　　　　　　　　　理　由　
  ［理由１］
　この出願は、特許請求の範囲の記載が下記の点で、特許法第３６条第６項第２号に規定する要件を満たしていない。
　
　　　　　　　　　　　　　　　　　記
　・・・　（略）　・・・　
ｃ．請求項８において、「全体が前記維持電極と重なり、又は一部が前記維持電極の全体と重なっている結合電極」との記載の意味するところが不明確である。
　よって、請求項８およびこれに従属する請求項９に係る発明は明確でない。
　
［理由２］
　この出願は、特許請求の範囲の記載が下記の点で、特許法第３６条第６項第１号に規定する要件を満たしていない。
　
　　　　　　　　　　　　　　　　　記
ｄ．請求項６，８においては、画素電極に構成につき、「前記保護膜の上に形成され、前記第１コンタクトホールを通して前記薄膜トランジスタの第３端子に接続され、前記第２コンタクトホールを通して前記結合電極に接続されている画素電極、を有し、　前記画素電極は、前記画素領域の第１ドメインを定める第１部分、前記画素領域の第２ドメインを定める第２部分、前記画素領域の第３ドメインを定める第３部分、及び、前記画素領域の第４ドメインを定める第４部分を含み、　前記第１ドメインと前記第２ドメインとは前記維持電極線の片側に配置され、前記第３ドメインと前記第４ドメインとは前記維持電極線の反対側に配置され、　前記第１基板と前記第２基板との間に電圧が印加されるとき、前記第１ドメイン、前記第２ドメイン、前記第３ドメイン、及び前記第４ドメインのそれぞれで液晶分子の平均的な傾斜方向が異なる」と記載されているが、発明の詳細な説明には、容量結合を利用して第１電極と第２電極とに異なる電圧を加えるとともに、二つの異なる方向に設けられた開口部を利用して、液晶分子の向きが異なる四つのドメインを構成することが記載されているのみであって、請求項６，８に係る上記のような技術思想は記載されていない。
　
　したがって、請求項６，８およびこれらに従属する請求項７，９に係る発明は、発明の詳細な説明に記載したものでない。
　・・・（略）・・・　」
　
（２）平成２１年６月３０日付け拒絶査定 
　平成２１年６月３０日付け拒絶査定は、本願は上記（１）の拒絶の理由（［理由２］）によって拒絶をすべきものであるというものであって、その備考欄には、次のとおり記載されている
　
「　平成２１年４月６日付けの手続補正書による補正は、補正前の請求項１−５の削除および先の拒絶理由通知書における［理由１］のｃで指摘した明りょうでない記載の釈明を目的とするものである。
　また、出願人は、意見書において、「明細書の００３９段落及び図９には、第１画素電極と第２画素電極のそれぞれに、液晶分子の長軸方向に基づいて分類された４つのドメインが形成されることが明示されています。その場合、第１画素電極と第２画素電極には、それぞれ異なる電極が印加され、第１画素電極と第２画素電極に形成されるドメイン内の液晶分子の傾斜角は異なるようになっています（００１９段落、図３）。以上から、発明の詳細な説明には、請求項１−４に係るような技術思想が記載されていると思料いたします。」との主張をしている。
　しかしながら、容量結合を利用して第１電極と第２電極とに異なる電圧を加えるとの構成のみでは視認性に優れた多重ドメインを形成することはできず、発明の詳細な説明においては、容量結合を利用して第１電極と第２電極とに異なる電圧を加えるとともに、二つの異なる方向に設けられた切開部を利用して、視認性に優れた多重ドメインを構成することが記載されているものである。ここで、出願人が引用する段落【００３９】は、段落【００３３】−【００３８】，【図９】等に記載の二つの異なる方向に設けられた切開部を有する構成を前提とした上で、容量結合を利用して第１電極と第２電極とに異なる電圧を加えることで視認性に優れた多重ドメインを形成することを記載しているものである。
　よって、容量結合を利用して第１電極と第２電極とに異なる電圧を加えるとともに、二つの異なる方向に設けられた切開部を利用しすることにより多重ドメインを構成することを発明特定事項として有さない補正後の請求項１−４（補正前の請求項６−９に対応）に係る発明は、発明の詳細な説明に記載したものでない。
　よって、出願人の意見は採用することができない。」
　
４  本願明細書の発明の詳細な説明の記載
　平成２１年４月６日付け手続補正後の本願明細書の発明の詳細な説明（以下、単に「発明の詳細な説明」という。）には、以下の記載がある（下線は、審決で付与した。以下同じ。）。
　
「【技術分野】
【０００１】
　本発明は、多重ドメイン液晶表示装置及びそれに用いられる表示パネルに関する。
【背景技術】
【０００２】
　一般に液晶表示装置は、共通電極及びカラーフィルタ等が形成されている上部表示パネルと、薄膜トランジスタ及び画素電極等が形成されている下部表示パネルとの間に液晶物質を注入し、画素電極と共通電極に互いに異なる電圧を印加することによって電界を形成して液晶分子の配列を変更し、これによって光の透過率を調節して画像を表現する装置である。
　ところが液晶表示装置は、視野角が狭いのが大きな短所である。このような短所を克服するため、視野角を広くする様々な方案が開発されており、特に、液晶分子を上下表示パネルに対し垂直に配向し、画素電極とその対向電極である共通電極に一定の切開パターンを形成したり、突起を形成する方法が有力視されている。
【０００３】
　切開パターンを形成する方法として、画素電極及び共通電極にそれぞれ切開パターンを形成し、この切開パターンによって形成されるフリンジフィールド（fringe field）を利用して、液晶分子が横になる方向を調節して視野角を広くする方法がある。
　突起を形成する方法は、上下表示パネルに形成されている画素電極と共通電極の上にそれぞれ突起を形成し、突起のため歪曲する電場を利用して、液晶分子が横になる方向を調節する方法である。
【０００４】
　その他の方法として、下部表示パネルの上に形成されている画素電極には切開パターンを形成し、上部表示パネルに形成されている共通電極の上には突起を形成し、切開パターン及び突起によって形成されるフリンジフィールドを利用して、液晶分子が横になる方向を調節することでドメインを形成する方法がある。
　このような
多重ドメイン液晶表示装置では、１：１０のコントラスト比を基準にするコントラスト比基準視野角や階調間の輝度反転の限界角度で定義される階調反転基準視野角は、全方向で８０°以上と極めて優れている
【発明の開示】
【発明が解決しようとする課題】
【０００５】
　しかし、
正面のガンマ曲線と側面のガンマ曲線が一致しない側面ガンマ曲線の歪曲現象が発生し、左右側面における視認性が劣る
ドメイン分割手段として切開部を形成するＰＶＡ（patterned vertically aligned）モードの場合、側面に行くほど全体的に画面が明るく表示され、色は白色側に移動する傾向があり
【０００６】
　そこで、
本発明が目的とする技術的課題は、視認性が優れた多重ドメイン液晶表示装置を実現することである
【課題を解決するための手段】
【０００７】
　
本発明による液晶表示装置は、第１基板、第２基板、及び、前記第１基板と前記第２基板との間に挟まれた液晶層を備えている液晶表示装置であり、前記第１基板は、絶縁基板、前記絶縁基板の上に形成されている第１信号線、前記絶縁基板の上に形成され、画素領域の中央部を横切っている維持電極線であり、他の部分より幅の広い維持電極を含む維持電極線、前記第１信号線と前記維持電極線の上に形成されているゲート絶縁膜、前記ゲート絶縁膜の上に形成されて前記第１信号線と前記維持電極線から絶縁され、前記第１信号線と交差している第２信号線、前記ゲート絶縁膜の上に形成され、前記維持電極の全体と重なっている結合電極、前記第１信号線に接続されている第１端子、前記第２信号線に接続されている第２端子、及び第３端子を含む薄膜トランジスタ、第１コンタクトホールと第２コンタクトホールを含み、前記第２信号線、前記結合電極、及び前記薄膜トランジスタの上に形成されている保護膜、並びに、前記保護膜の上に形成され、前記第１コンタクトホールを通して前記薄膜トランジスタの第３端子に接続され、前記第２コンタクトホールを通して前記結合電極に接続されている画素電極、を有し、前記画素電極は、前記画素領域の第１ドメインを定める第１部分、前記画素領域の第２ドメインを定める第２部分、前記画素領域の第３ドメインを定める第３部分、及び、前記画素領域の第４ドメインを定める第４部分を含み、前記第１ドメインと前記第２ドメインとは前記維持電極線の片側に配置され、前記第３ドメインと前記第４ドメインとは前記維持電極線の反対側に配置され、前記第１基板と前記第２基板との間に電圧が印加されるとき、前記第１ドメイン、前記第２ドメイン、前記第３ドメイン、及び前記第４ドメインの液晶分子の平均的な傾斜方向が異なる
【発明の効果】
【００１５】
　
本発明によれば、液晶表示装置の側面視認性を向上させて視野角を拡張できる
維持電極と結合電極とはゲート絶縁膜のみを隔てて重なって保持容量を形成し、サブ画素電極と結合電極とは保護膜を隔てて、一方が他方の全体に重なって結合容量を形成している
それにより、各電極間の重なりを十分に狭く維持したままで保持容量及び結合容量を十分に確保する
画素の開口率を十分に高く維持できる
【発明を実施するための最良の形態】
【００１６】
　添付した図面を参照して、本発明の実施形態を、本発明が属する技術分野における通常の知識を有する者が容易に実施することができるように詳細に説明する。しかし、本発明は、多様な形態で実現することができ、ここで説明する実施形態に限定されない。
　図面は、各種層及び領域を明確に表現するために、厚さを拡大して示している。明細書全体を通じて類似した部分については同一な参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００１７】
　以下、図面を参照して本発明の実施形態による液晶表示装置及びこれに用いられる薄膜トランジスタ表示パネルの構造について説明する。
　まず、本発明の原理を図１乃至図４Ｂを参照して詳細に説明する。
　図１は、一般の液晶表示装置における様々な角度からのガンマ曲線を示したグラフで、Ｃ１は正面からのガンマ曲線、Ｃ２は上側方向からのガンマ曲線、Ｃ３は右側方向からのガンマ曲線、Ｃ４は対角方向からのガンマ曲線である。
【００１８】
　図１は、正面からのガンマ曲線とその他の方向からのガンマ曲線とにおいて大きな差があるガンマ歪曲現象を示す。即ち、同一な電圧を印加して同一な階調を表示しようとしても、正面と側面からの輝度差によって正面と側面からのイメージが異なる視認性の歪曲が発生する。特に、高階調では、階調間の明るさの差のため更に酷い歪曲が発生する。
　図２Ａ、図２Ｂ、図３及び図４Ａ、図４Ｂは、このような視認性問題を解決するための本発明の基本概念を示している。図２Ａ及び図２Ｂは、一つの画素内に液晶分子の傾斜方向が異なる複数のドメインが形成されている液晶表示装置での液晶分子の配列を示す。図３は、図２Ｂの場合、電圧が異なる二つの領域での液晶分子の傾斜角を示す。図４Ａは、図２Ａに示した液晶表示装置における正面ガンマ曲線及び側面ガンマ曲線を示したグラフである。図４Ｂは、図２Ｂに示した液晶表示装置における正面ガンマ曲線及び側面ガンマ曲線を示したグラフである。
【００１９】
　図２Ａのように、
一つの画素内に多重ドメインが存在しても、一つの画素内では、電場を生成する二つの電極の電位差が一定な場合
正面ガンマ曲線と側面ガンマ曲線との差が極めて大きい
　しかし、図２Ｂのように、
二つの電界生成電極のうち一つの電極を二つの副電極に分けて互いに異なる電圧を印加すると、二つの副電極上の液晶層領域、つまり副領域にかかる電場の強さが変化し
二つの副領域内の液晶分子の傾斜角が異なるようになる
二つの副領域内の液晶分子の傾斜角差によって、側面からのガンマ曲線が正面からのガンマ曲線に近づく
その結果、正面と側面間の画面歪曲が減少し、視認性が優れた液晶表示装置を実現することができる
【００２０】
　図７は、本発明の一実施形態による液晶表示装置用薄膜トランジスタ基板の配置図であり、図８は、本発明の一実施形態による液晶表示装置用カラーフィルター基板の配置図であり、図９は、本発明の一実施形態による液晶表示装置の配置図であり、図１０は、図９に示す液晶表示装置をＩＶ−ＩＶ’線に沿って切断した断面図である。
　液晶表示装置は、下側の薄膜トランジスタ表示パネル１００と、これと対向している上側の対向表示パネル２００、及びこれらの間に形成され、二つの表示パネル１００、２００に対しほぼ垂直に配向されている液晶分子３１０を有する液晶層３からなる。この時、各々の表示パネル１００、２００の内側には、配向膜１１、２１が形成されており、配向膜１１、２１は、液晶層３の液晶分子３１０を表示パネル１００、２００に対し垂直に配向させる垂直配向モードであるのが好ましいが、そうでない場合もある。また、上部表示パネル２００と下部表示パネル１００の外側面には、各々上部及び下部偏光板１２、２２が付着されている。
【００２１】
  まず、下部の薄膜表示パネルは、次のような構成を有する。
  ガラス等の透明な絶縁物質からなる
絶縁基板１１０上に、
切開部１９１、１９３を通じて分離されている第１及び第２画素電極１９０a、１９０bが形成されている
第１画素電極１９０aは、薄膜トランジスタに接続されて画像信号電圧の印加を受け、第２画素電極１９０bは、第１画素電極１９０aと接続されている結合電極１７６と重畳することで、第１画素電極１９０aと電磁気的に結合（容量性結合）している
々接続されて、走査信号に基づいて第１画素電極１９０aに印加される画像信号をオン（on）、オフ（off）する。第２画素電極１９０bは、切開部１９２を有する。前記第１及び第２画素電極１９０a、１９０bにおいて、反射型液晶表示装置の場合には、透明な物質からならないこともあり、その場合には、下部偏光板１２も不要である。
【００２２】
  次に、上部対向表示パネルの構成は次の通りである。
  ガラス等の透明な絶縁物質からなる
絶縁基板２１０の下面に
共通電極２７０が形成され
共通電極２７０には、切開部２７１、２７２、２７３が形成されている
【００２３】
  次に、薄膜トランジスタ表示パネル１００について更に詳細に説明する。
  薄膜トランジスタ表示パネル１００には、下部絶縁基板１１０上にゲート信号を伝達する複数のゲート線１２１が形成されている。ゲート線１２１は、主に横方向に延びており、各ゲート線１２１の一部は複数のゲート電極１２４をなす。ゲート線１２１には、ゲート電極１２４は突起状に形成され、本実施形態のように、ゲート線１２１は、外部からのゲート信号をゲート線１２１に伝達するための接触部を有することができる。この時、ゲート線１２１の端部１２９は、他の部分より広い幅を有するが、そうでない場合には、ゲート線１２１の端部は、基板１１０上部に直接形成されているゲート駆動回路の出力端に直接接続される。
【００２４】
  ゲート線１２１と同一な層には、維持電極線１３１が横方向に延びて形成されており、各々の維持電極線１３１は、他の部分より広い幅を有する維持電極１３３を有する。
  ゲート線１２１及び維持電極線１３１は、Al、Al合金、Ag、Ag合金、Cr、Ti、Ta、Mo等の金属で作られる。本実施形態のゲート線１２１及び維持電極線１３１は、単一層からなるが、物理化学的な特性が優れたCr、Mo、Ti、Ta等の金属層と、低い比抵抗のAl系またはAg系の金属層を含む二重層からなることもできる。その他にも様々な金属または導電体にてゲート線１２１及び維持電極線１３１を作ることができる。
【００２５】
　ゲート線１２１及び維持電極線１３１の側面は傾斜しており、水平面に対する傾斜角は３０〜８０°であるのが好ましい。
　ゲート線１２１及び維持電極線１３１の上には、窒化ケイ素（ＳｉＮｘ）等からなるゲート絶縁膜１４０が形成されている。
　ゲート絶縁膜１４０上には、複数のデータ線１７１を始めとして複数のドレイン電極１７５が形成されている。各データ線１７１は、主に縦方向に延びており、各ドレイン電極１７５に向けて複数の枝を出して、データ線１７１から拡張したソース電極１７３を有する。データ線１７１の一端部に位置した接触部１７９は、外部からの画像信号をデータ線１７１に伝達する。
【００２６】
　また、データ線１７１と同一な層には、維持電極１３３と重畳して、ゲート絶縁膜１４０を介在してストレージキャパシタＣｓｔ（図１１参照）を構成する結合電極１７６が形成されている。この時、結合電極１７６は、ドレイン電極１７５から分離されているが、これら１７５、１７６は接続されていてもよい。この時、結合電極１７６は、維持電極１３３と重畳するように配置して、画素の開口率が減少するのを防ぐことができ、維持電極１３３の境界は、結合電極１７６の境界内に位置する。
【００２７】
　データ線１７１、ドレイン電極１７５及び結合電極１７６は、ゲート線１２１のように、クロム（Cr）、アルミニウム（Al）、モリブデン（Mo）、チタニウム（Ti）、タンタル（Ta）またはこれらの導電物質に素子の合金用金属を添加した（例：Al−Nd、Mo−N、Mo−Nb）合金で作ることができ、これらの単一膜またはこれらを含む多層膜（例：Mo／Al−Nd／Mo、Cr／Al）からなることができる。
【００２８】
　データ線１７１、ドレイン電極１７５の下には、データ線１７１に沿って主に縦に長く延びた複数の線状半導体１５１が形成されている。非晶質シリコン等からなる各線状半導体１５１は、各ゲート電極１２４、ソース電極１７３及びドレイン電極１７５に向けて拡張されてチャンネル部１５４を有する。
　半導体１５１とデータ線１７１及びドレイン電極１７５の間には、両者の接触抵抗をそれぞれ減少させるための複数の線状オーミック接触部材１６１及び島状のオーミック接触部材１６５が形成されている。オーミック接触部材１６１は、シリサイドやｎ型不純物が高濃度にドーピングされた非晶質シリコン等で作られ、枝として延びたオーミック接触部材１６３を有し、島状のオーミック接触部材１６５は、ゲート電極１２４を中心にオーミック接触部材１６３と対向する。
【００２９】
　データ線１７１及びドレイン電極１７５の上には、平坦化特性が優れて感光性を有する有機物質、プラズマ化学気相蒸着（ＰＥＣＶＤ）で形成されるa−Si：C：O、a−Si：O：F等の低誘電率絶縁物質または窒化ケイ素等からなる保護膜１８０が形成されている。この時、保護膜１８０は、窒化ケイ素または酸化ケイ素からなる第１絶縁膜８０１と有機絶縁物質からなる第２絶縁膜８０２を含む。薄膜トランジスタ表示パネル１００の上部に、赤、緑、青のカラーフィルタ２３０を形成する別の実施形態において、第２絶縁膜８０２は、赤、緑、青のカラーフィルタ２３０の絶縁層を有したり、これらをカラーフィルタ層で代替することができる。
【００３０】
  保護膜１８０には、ドレイン電極１７５の少なくとも一部とデータ線１７１の端部１７９をそれぞれ露出する複数のコンタクトホール（接触孔）１８２、１８５が備えられ、ゲート線１２１の端部１２９の一部を露出する複数のコンタクトホール１８１がゲート絶縁膜１４０と保護膜１８０を貫通している。また、保護膜１８０には、結合電極１７６を露出するコンタクトホール１８６が備えられているが、コンタクトホール１８６は、第１絶縁膜８０１に形成されており、第２絶縁膜８０２には、結合電極１７６上部の第１絶縁膜８０１を露出する開口部１８８が備えられている。
【００３１】
  保護膜１８０上には、複数の画素電極を始めとして複数の接触補助部材８１、８２が形成されている。画素電極１９０a、１９０b及び接触補助部材８１、８２は、ＩＴＯやＩＺＯのような透明導電体やアルミニウム（Al）のような光反射特性が優れた不透明導電体等で作られる。
  
複数の画素電極は、切開部１９１、１９３を通じて分離された第１画素電極１９０aと第２画素電極１９０bを含み、第１画素電極１９０aは、コンタクトホール１８６、１８５を通じてドレイン電極１７５及び結合電極１７６と接続され、第２画素電極１９０bは、結合電極１７６と重畳している
第２画素電極１９０bと結合電極１７６の間には、結合容量Ｃｃｐ
が形成され、これを通じて第２画素電極１９０bは、第１画素電極１９０aに電磁気的に結合（容量性結合）している
第２画素電極１９０bは、開口部１８８を通じて露出した第１絶縁膜８０１のみを介在して結合電極１７６と重畳していて、これら１９０b、１７６の間では、狭い重畳面積で十分な結合容量を形成することができる
【００３２】
  なお、
第１または第２画素電極１９０a、１９０bと重畳して保持容量を形成する時に、第１画素電極１９０aと接続している結合電極１７６及び維持電極１３３は、ゲート絶縁膜１４０のみを介在して重畳していて、これら１３３、１７６の間では、狭い重畳面積で十分な保持容量を形成することができる
結合容量及び保持容量を十分確保しながら結合電極１７６と維持電極１３３を重畳して配置することによって、画素の開口率を十分に確保できる
【００３３】
　
第１画素電極１９０aと第２画素電極１９０bを分ける境界は、ゲート線１２１に対し４５°をなす部分１９１、１９３と垂直をなす部分とに分けられ、４５°をなす二つの部分１９１、１９３が垂直をなす部分に比べて長さが長い
４５°をなす二つの部分１９１、１９３は、互いに垂直をなしている
　第２画素電極１９０bは、切開部１９１を有し、切開部１９１は、第２画素電極１９０bの右側辺から左側辺に向けて切り込まれた形であり、入口は広く拡張されている。
【００３４】
　第１画素電極１９０a及び第２画素電極１９０bは各々、ゲート線１２１とデータ線１７１が交差して定義する画素領域を垂直方向で二等分する線（ゲート線と平行な線）に対し実質的に対称である。
　接触補助部材８１、８２は、各々コンタクトホール１８１、１８２を通じてゲート線の端部１２９とデータ線の端部１７９に接続している。
【００３５】
　また、上部の絶縁基板２１０には、光漏れを防ぐためのブラックマトリクス２２０が形成されている。ブラックマトリックス２２０上には、赤、緑、青のカラーフィルタ２３０が形成されている。カラーフィルタ２３０上には、複数組の切開部２７１、２７２、２７３を有する共通電極２７０が形成されている。共通電極２７０は、ＩＴＯまたはＩＺＯ等の透明な導電体で形成する。
【００３６】
　
共通電極２７０の一組の切開部２７１、２７２、２７３は、二つの画素電極１９０a、１９０bの境界のうちゲート線１２１に対し４５°をなす部分１９１、１９３を介在し、これと平行な斜線部と画素電極１９０の辺と重畳する端部を有する
端部は、縦方向端部と横方向端部に分類される
  この時、
ドメイン分割手段である切開部２７１、２７２、２７３は、切り欠き形成されたノッチを有し
【００３７】
　
ノッチは、切開部２７１、２７２、２７３に対応するドメイン境界に位置する液晶分子３１０の配列方向を決定する
ドメインの境界に配列されている液晶分子３１０は、ノッチを通じて安定的かつ規則的に配列することができる
【００３８】
　前記したような構造の薄膜トランジスタ表示パネルとカラーフィルタ表示パネルを整列させて結合し、その間に液晶物質を注入して垂直配向すると、本発明の一実施形態による液晶表示装置の基本構造が完成する。
　
薄膜トランジスタ表示パネルとカラーフィルタ表示パネルを整列させた時、共通電極２７０の一組の切開部２７１、２７２、２７３は、二つの画素電極１９０a、１９０bを各々複数の副領域（subarea）に区分する
二つの画素電極１９０a、１９０bを各々４つの副領域に分ける
各副領域は、細長く形成されており、幅方向と長手方向が区別される
【００３９】
　
画素電極１９０a、１９０bの各副領域とこれに対応する基準電極２７０の各副領域との間にある液晶層３部分を以下で小領域（subregion）と記載し、これらの小領域は、電界印加時にその内部に位置する液晶分子の平均長軸方向によって４種類に分類され
ドメイン（domain）
　このような構造の液晶表示装置において、
第１画素電極１９０aは、薄膜トランジスタを通じて画像信号電圧の印加を受けるのに対し、第２画素電極１９０bは、結合電極１７６との容量性結合によって電圧が変動するので、第２画素電極１９０bの電圧は、第１画素電極１９０bの電圧に比べて絶対値が常に低い
このように、一つの画素領域内に電圧が異なる二つの画素電極を配置すると、二つの画素電極を通じて互いに異なるガンマ曲線が形成され、このようなガンマ曲線は、互いに補償して、ガンマ曲線の歪曲を減少させることができ、これによって優れた視認性を確保できる
【００４０】
　また、本実施形態では、結合電極とドレイン電極が分離されているが、結合電極は、ドレイン電極と同じ導電層で接続されることができ、結合電極が第２画素電極とコンタクトホールで接続されて、第１画素電極と重畳してキャパシタを構成しても、視認性改善効果を得ることができる。そして、本実施形態では、維持電極及び維持電極線を別途設けているが、別途の維持電極の代わりに、ゲート線やデータ線を用いることもできる。
【００４１】
　図５は、本実施形態の適用結果を示すガンマ曲線である。同図によれば、約０〜３０階調では、正面と側面のガンマ曲線が密着し、高諧調では、正面と側面の階調間輝度差が改善したことが分かる。
　本発明の他の実施形態として、一つの画素内に互いに異なる電圧値を有する液晶キャパシタを３つ以上、つまり一つの画素内の液晶層が互いに異なる強さを有する電場の印加を受ける３つ以上の副領域を形成する場合にも適用することができる。ここで、副領域の数は、実際の表示装置を設計する時、開口率及び画素の大きさ等の設計規則に従って最適に決定する。
【００４２】
　図６は、３つの副領域を有する液晶表示装置の正面及び側面ガンマ曲線を示したグラフで、二つの副領域を有する場合よりも側面ガンマ曲線がより正面ガンマ曲線に近いことが分かる。
　次に、第１画素電極１９０aの電圧が第２画素電極１９０bの電圧より低く維持される理由を図１１を参照して説明する。
【００４３】
　図１１は、本発明の第１実施形態による液晶表示装置の回路図である。
　図１１でＣｌｃａは、第１画素電極１９０aと共通電極２７０の間で形成される液晶容量を示し、Ｃｓｔは、第１画素電極１９０aと維持電極線１３１の間で形成される保持容量を示す。Ｃｌｃｂは、第２画素電極１９０bと共通電極２７０の間で形成される液晶容量を示し、Ｃｃｐは、第１画素電極１９０aに接続された結合電極１７６と第２画素電極１９０bの間で形成される結合容量を示す。
【００４４】
　
共通電極２７０電圧に対する第１画素電極１９０aの電圧をＶａとし、第２画素電極１９０bの電圧をＶｂとするとき
　Vb＝Va×［Ccp／（Ccp+Clcb）］　
　であり、Ccp／（Ccp+Clcb）は、常に１より小さいので、
ＶｂはＶａに比べて常に小さい
【００４５】
　一方、Ｃｃｐを調節することによって、Ｖａに対するＶｂの比率を調整することができる。Ｃｃｐの調節は、結合電極１７６と第２画素電極１９０bの重畳面積及び距離を調整
することによって可能である。重畳面積は、結合電極１７６の幅を変化させることによって容易に調整でき、距離は、結合電極１７６の形成位置を変化させることによって調整することができる。即ち、本発明の実施形態では、結合電極１７６をデータ線１７１と同一層に形成したが、ゲート線１２１と同一層に形成したり、第２画素電極と結合電極の間に第２保護膜を除去しないで残すことによって、結合電極１７６と第２画素電極１９０bとの間の距離を増加させることができる。
【００４６】
　以下、図７、図９及び図１０に示した液晶表示装置用薄膜トランジスタ表示パネルを本発明の一実施形態によって製造する方法について、図１２Ａ乃至図１７Ｂ、図７、図９及び図１０を参照して詳細に説明する。
　図１２Ａ、図１３Ａ、図１４Ａ及び図１６Ａは、図７乃至図１０に示した液晶表示装置の薄膜トランジスタ表示パネルを本発明の一実施形態によって製造する方法の中間段階における配置図で、その工程順で示したものであり、図１２Ｂは、図１２Ａに示した薄膜トランジスタ表示パネルをＶＩｂ−ＶＩｂ’線に沿って切断した断面図であり、図１３Ｂは、図１３Ａに示した薄膜トランジスタ表示パネルをＶＩＩｂ−ＶＩＩｂ’線に沿って切断した断面図であり、図１４Ｂは、図１４Ａに示した薄膜トランジスタ表示パネルをＶＩＩＩｂ−ＶＩＩＩｂ’線に沿って切断した断面図であり、図１５は、図１４Ａに示した薄膜トランジスタ表示パネルをＶＩＩＩｂ−ＶＩＩＩｂ’線に沿って切断した断面図で、図１４Ｂに続く工程を示すものであり、図１６Ｂは、図１６Ａに示した薄膜トランジスタ表示パネルをＸｂ−Ｘｂ’線に沿って切断した断面図で、図１５に続く工程を示すものであり、図１７は、図１６Ａに示した薄膜トランジスタ表示パネルをＸｂ−Ｘｂ’線に沿って切断した断面図で、図１６Ｂに続く工程を示すものである。
【００４７】
　まず、透明なガラス等で作られた絶縁基板１１０上に、二つの層の金属膜をスパッタリング法等で順に積層する。この時、金属膜は、ＩＺＯまたはＩＴＯとの接触特性が優れた金属、例えばモリブデン、モリブデン合金、またはクロム等の下部膜及びアルミニウム系金属からなる上部膜で積層することができる。
　次に、図１２Ａ及び図１２Ｂに示したように、感光膜パターンを用いたフォトエッチング工程で金属膜をパターニングして、複数のゲート電極１２４を含むゲート線１２１と、複数の維持電極１３３を含む維持電極線１３１を形成する。
【００４８】
　図１３Ａ及び図１３Ｂに示したように、ゲート絶縁膜１４０、真性非晶質シリコン層、不純物非晶質シリコン層の３層膜を連続して積層する。次に、不純物非晶質シリコン層及び真性非晶質シリコン層をフォトエッチングして、複数の線状不純物半導体１６４及び複数の突出部１５４を各々含む線状真性半導体１５１を形成する。ゲート絶縁膜１４０の材料には、窒化ケイ素が良く、積層温度は２５０〜５００℃、厚さは２，０００〜５，０００Å程度が好ましい。
【００４９】
　次に、前記した導電物質をスパッタリング法等で順に積層して金属膜を形成した後、図１４Ａ及び図１４Ｂに示したように、金属膜を順にパターニングして、複数の結合電極１７６と複数のソース電極１７３を各々含む複数のデータ線１７１及び複数のドレイン電極１７５を形成する。
　次に、データ線１７１及びドレイン電極１７５の上部の感光膜を除去するか、そのままにした状態で、データ線１７１、ドレイン電極１７５及び結合電極１７６で覆われないで露出された不純物半導体１６４の一部を除去することによって、複数の突出部１６３を各々含む複数の線状オーミック接触部材１６１と複数の島状オーミック接触部材１６５を完成する一方、その下の真性半導体１５１部分を露出させる。
【００５０】
　次に、真性半導体１５１部分の表面を安定化するために、酸素プラズマ処理を引き続き実施するのが好ましい。
　次に、図１５のように、窒化ケイ素のような無機絶縁膜の第１絶縁膜８０１及び低誘電率を有する有機絶縁膜の第２絶縁膜８０２を順に積層して保護膜１８０を形成し、その上部に感光膜をスピンコーティング法で塗布した後、マスクを用いるフォト工程で感光膜パターン５２、５４を形成する。
【００５１】
　ここで、現像された感光膜の厚さは位置によって異なっており、感光膜は、厚さが次第に薄くなる第１乃至第３部分からなる。Ａ領域（以下、その他の領域）に位置した第１部分と、Ｃ領域（以下、結合領域）に位置した第２部分は、各々図面符号５２と５４で示す。Ｂ領域（以下、接触領域）に位置した第３部分には、感光膜が残っておらず、第２絶縁膜８０２が露出している。
【００５２】
　このように、位置によって感光膜の厚さを異ならせる方法は様々であって、露光マスクに透明領域と遮光領域のみならず半透明領域を設けることがその一例である。半透明領域には、スリットパターン、格子パターンまたは透過率が中間であるか、厚さが中間である薄膜が備えられる。
　次に、図１６Ａ及び図１６Ｂに示したように、感光膜パターン５２、５４をエッチングマスクとして、第２絶縁膜８０２と第１絶縁膜８０１を順にエッチングして、ドレイン電極１７５及び結合電極１７６を各々露出するコンタクトホール１８５、１８６を形成する。この時、ゲート線１２１及びデータ線１７１各々の端部１２９、１７９を露出するコンタクトホール１８１、８２も同時に形成する。次に、結合領域Ｃに残っている第２部分５４をアッシングで除去する。
【００５３】
　次に、図１７に示したように、結合領域Ｃで露出した第２絶縁膜８０２の一部をエッチングして、第２絶縁膜８０２に開口部１８８を形成する。
　この時、第２絶縁膜８０２を感光性有機絶縁物質で形成する他の実施形態では、第２絶縁膜８０２を感光膜パターン５２、５４と共に形成した後、前記した工程順に沿ってエッチング工程を行う。
【００５４】
　最後に、図７、図９及び図１０に示したように、５００Å乃至１，５００Å厚さのＩＺＯまたはＩＴＯ層をスパッタリング法で蒸着しフォトエッチングして、複数の画素電極１９０a、１９０b及び複数の接触補助部材８１、８２を形成する。ＩＺＯ層を使用する場合のエッチングは、（ＨＮＯ３／（ＮＨ４）２Ｃｅ（ＮＯ３）６／Ｈ２Ｏ）等のクロム用エッチング液を使用する湿式エッチング法が好ましいが、このエッチング液は、アルミニウムを腐食させないので、データ線１７１、ドレイン電極１７５、ゲート線１２１でアルミニウム導電膜が腐食するのを防ぐことができる。
【００５５】
　なお、本発明の他の実施形態による液晶表示装置で薄膜トランジスタ表示パネルは、別の構造を有することができる。これについて図面を参照して詳しく説明する。
　図１８は、本発明の他の実施形態による液晶表示装置の構造を示した配置図であり、図１９は、図１８に示す液晶表示装置をＸＩＩ−ＸＩＩ’線に沿って切断した断面図である。
【００５６】
　図１８乃至図１９のように、本実施形態による液晶表示装置用薄膜トランジスタ表示パネルの層状構造は、図７、図９及び図１０に示した液晶表示装置用薄膜トランジスタ表示パネルの層状構造とほぼ同様である。即ち、基板１１０上に複数のゲート電極１２４を含む複数のゲート線１２１が形成され、その上にゲート絶縁膜１４０、複数の突出部１５４を含む複数の線状半導体１５１、複数の突出部１６３を各々含む複数の線状オーミック接触部材１６１及び複数の島状オーミック接触部材１６５が順に形成されている。オーミック接触部材１６１、１６５及びゲート絶縁膜１４０の上には、複数のソース電極１５３を含む複数のデータ線１７１、複数のドレイン電極１７５、複数の結合電極１７６が形成され、その上に第１絶縁膜８０１及び第２絶縁膜８０２を含む保護膜１８０が形成されている。保護膜１８０及び／またはゲート絶縁膜１４０には、複数のコンタクトホール１８２、１８５、１８６、１８１が形成され、保護膜１８０上には複数の画素電極１９０a、１９０bと複数の接触補助部材８１、８２が形成されている。
【００５７】
　しかし、図７、図９及び図１０に示した薄膜トランジスタ表示パネルと異なって、本実施形態による薄膜トランジスタ表示パネルにおいて、半導体１５１は、薄膜トランジスタが位置する突出部１５４を除けば、データ線１７１、ドレイン電極１７５及びその下部のオーミック接触部材１６１、１６５と実質的に同一な平面形態を有する。より詳細には、線状半導体１５１は、データ線１７１及びドレイン電極１７５とその下部のオーミック接触部材１６１、１６５の下に存在する部分以外にも、ソース電極１７３とドレイン電極１７５の間に、これらで覆われず露出する部分を有している。
【００５８】
　勿論このような本実施形態による液晶表示装置用薄膜トランジスタ表示パネルは、結合電極１７６を有しており、結合電極１７６の下部には非晶質シリコン層１５６、１６６が同一な模様で形成されている。
　このような薄膜トランジスタ表示パネルの製造方法では、保護膜１９０をパターニングする時と同様に、部分的に厚さが異なる感光膜パターンを形成する。このような感光膜パターンは、厚さが次第に薄くなる第１乃至第３部分からなる。これを図１５と比較して説明すると、第１部分は配線領域に対応し、第２部分はチャンネル領域に対応し、各々図面符号５２と５４に対応する。次に、一連のエッチング段階によって、複数のソース電極１７３を各々含む複数のデータ線１７１、複数のドレイン電極１７５及び結合電極１７６を形成し、複数の突出部１６３を各々含む複数の線状オーミック接触部材１６１及び複数の島状オーミック接触部材１６５、並びに複数の突出部１５４を含む複数の線状半導体１５１を形成する。
【００５９】
　以上のような構成を通じて液晶表示装置の側面視認性を向上して視野角を拡張することができる。また、保持容量を形成する時、ゲート絶縁膜のみを介在して維持電極と結合電極を重畳させ、結合容量を形成する時、保護膜の一部のみを介在してサブ画素電極と結合電極を重畳させ、狭い重畳面積で保持容量及び結合容量を十分に確保することによって、画素の開口率を確保できる。
【００６０】
　以上で、本発明の好適な実施形態について詳細に説明したが、本発明の権利範囲はこれに限定されるものでなく、特許請求の範囲で定義している本発明の基本概念を利用した当業者の様々な変形及び改良形態も本発明の権利範囲に属するものである。特に、画素電極及び共通電極に形成する切開部の配置は多様に変形可能である。」
　
５　当審の判断
　本願の特許請求の範囲の記載が、特許法第３６条第６項第１号に規定する要件を満たすものであるかどうかについて、以下検討する。
　
（１）上記４によれば、発明の詳細な説明には、本願発明に関して、以下の事項が記載されているものと認められる。
　
　ア　多重ドメイン液晶表示装置では、１：１０のコントラスト比を基準にするコントラスト比基準視野角や階調間の輝度反転の限界角度で定義される階調反転基準視野角は、全方向で８０°以上と極めて優れているが、正面のガンマ曲線と側面のガンマ曲線が一致しない側面ガンマ曲線の歪曲現象が発生し左右側面における視認性が劣り、ドメイン分割手段として切開部を形成するＰＶＡモードの場合、側面に行くほど全体的に画面が明るく表示され色は白色側に移動する傾向があること。（段落【０００４】、【０００５】）
　
　イ　本発明の目的とする技術的課題は、視認性が優れた多重ドメイン液晶表示装置を実現することであること。（段落【０００６】）
　
　ウ　本発明による液晶表示装置は、「第１基板、第２基板、及び、前記第１基板と前記第２基板との間に挟まれた液晶層を備えている液晶表示装置であり、前記第１基板は、絶縁基板、前記絶縁基板の上に形成されている第１信号線、前記絶縁基板の上に形成され、画素領域の中央部を横切っている維持電極線であり、他の部分より幅の広い維持電極を含む維持電極線、前記第１信号線と前記維持電極線の上に形成されているゲート絶縁膜、前記ゲート絶縁膜の上に形成されて前記第１信号線と前記維持電極線から絶縁され、前記第１信号線と交差している第２信号線、前記ゲート絶縁膜の上に形成され、前記維持電極の全体と重なっている結合電極、前記第１信号線に接続されている第１端子、前記第２信号線に接続されている第２端子、及び第３端子を含む薄膜トランジスタ、第１コンタクトホールと第２コンタクトホールを含み、前記第２信号線、前記結合電極、及び前記薄膜トランジスタの上に形成されている保護膜、並びに、前記保護膜の上に形成され、前記第１コンタクトホールを通して前記薄膜トランジスタの第３端子に接続され、前記第２コンタクトホールを通して前記結合電極に接続されている画素電極、を有し、前記画素電極は、前記画素領域の第１ドメインを定める第１部分、前記画素領域の第２ドメインを定める第２部分、前記画素領域の第３ドメインを定める第３部分、及び、前記画素領域の第４ドメインを定める第４部分を含み、前記第１ドメインと前記第２ドメインとは前記維持電極線の片側に配置され、前記第３ドメインと前記第４ドメインとは前記維持電極線の反対側に配置され、前記第１基板と前記第２基板との間に電圧が印加されるとき、前記第１ドメイン、前記第２ドメイン、前記第３ドメイン、及び前記第４ドメインの液晶分子の平均的な傾斜方向が異なる」ものであること。（段落【０００７】）
　
　エ　本発明によれば、液晶表示装置の側面視認性を向上させて視野角を拡張でき、維持電極と結合電極とはゲート絶縁膜のみを隔てて重なって保持容量を形成し、サブ画素電極と結合電極とは保護膜を隔てて、一方が他方の全体に重なって結合容量を形成していることにより、各電極間の重なりを十分に狭く維持したままで保持容量及び結合容量を十分に確保し、画素の開口率を十分に高く維持できること。（段落【００１５】）
　
　オ　一つの画素内に多重ドメインが存在しても、一つの画素内で電場を生成する二つの電極の電位差が一定な場合には、正面ガンマ曲線と側面ガンマ曲線との差が極めて大きいこと。（段落【００１９】）
　
　カ　二つの電界生成電極のうち一つの電極を二つの副電極に分けて互いに異なる電圧を印加すると、二つの副電極上の液晶層領域、つまり副領域にかかる電場の強さが変化し、二つの副領域内の液晶分子の傾斜角が異なるようになり、二つの副領域内の液晶分子の傾斜角差によって、側面からのガンマ曲線が正面からのガンマ曲線に近づき、その結果、正面と側面間の画面歪曲が減少し、視認性が優れた液晶表示装置を実現することができること。（段落【００１９】）
　
　キ　絶縁基板１１０上に、切開部１９１、１９３を通じて分離されている第１及び第２画素電極１９０a、１９０bが形成されており、第１画素電極１９０aは、薄膜トランジスタに接続されて画像信号電圧の印加を受け、第２画素電極１９０bは、第１画素電極１９０aと接続されている結合電極１７６と重畳することで、第１画素電極１９０aと電磁気的に結合（容量性結合）していること。（段落【００２１】）
　
　ク　絶縁基板２１０の下面には共通電極２７０が形成され、該共通電極２７０には、切開部２７１、２７２、２７３が形成されていること。（段落【００２２】）
　
　ケ　複数の画素電極は、切開部１９１、１９３を通じて分離された第１画素電極１９０aと第２画素電極１９０bを含み、第１画素電極１９０aは、コンタクトホール１８６、１８５を通じてドレイン電極１７５及び結合電極１７６と接続され、第２画素電極１９０bは、結合電極１７６と重畳しており、第２画素電極１９０bと結合電極１７６の間には、結合容量Ｃｃｐが形成され、これを通じて第２画素電極１９０bは、第１画素電極１９０aに電磁気的に結合（容量性結合）しており、第２画素電極１９０bは、開口部１８８を通じて露出した第１絶縁膜８０１のみを介在して結合電極１７６と重畳していて、これら１９０b、１７６の間では、狭い重畳面積で十分な結合容量を形成することができること。（段落【００３１】）
　
　コ　第１または第２画素電極１９０a、１９０bと重畳して保持容量を形成する時に、第１画素電極１９０aと接続している結合電極１７６及び維持電極１３３は、ゲート絶縁膜１４０のみを介在して重畳していて、これら１３３、１７６の間では、狭い重畳面積で十分な保持容量を形成することができ、結合容量及び保持容量を十分確保しながら結合電極１７６と維持電極１３３を重畳して配置することによって、画素の開口率を十分に確保できること。（段落【００３２】）
　
　サ　第１画素電極１９０aと第２画素電極１９０bを分ける境界は、ゲート線１２１に対し４５°をなす部分１９１、１９３と垂直をなす部分とに分けられ、４５°をなす二つの部分１９１、１９３が垂直をなす部分に比べて長さが長く、４５°をなす二つの部分１９１、１９３は、互いに垂直をなしていること。（段落【００３３】）
　
　シ　共通電極２７０の一組の切開部２７１、２７２、２７３は、二つの画素電極１９０a、１９０bの境界のうちゲート線１２１に対し４５°をなす部分１９１、１９３を介在し、これと平行な斜線部と画素電極１９０の辺と重畳する端部を有し、前記端部は、縦方向端部と横方向端部に分類され、ドメイン分割手段である切開部２７１、２７２、２７３は、切り欠き形成されたノッチを有すこと。（段落【００３６】）
　
　ス　上記ノッチは、切開部２７１、２７２、２７３に対応するドメイン境界に位置する液晶分子３１０の配列方向を決定し、ドメインの境界に配列されている液晶分子３１０は、ノッチを通じて安定的かつ規則的に配列することができること。（段落【００３７】）
　
　セ　薄膜トランジスタ表示パネルとカラーフィルタ表示パネルを整列させた時、共通電極２７０の一組の切開部２７１、２７２、２７３は、二つの画素電極１９０a、１９０bを各々複数の副領域に区分し、二つの画素電極１９０a、１９０bを各々４つの副領域に分け、各副領域は、細長く形成されており、幅方向と長手方向が区別されること。（段落【００３８】）
　
　ソ　画素電極１９０a、１９０bの各副領域とこれに対応する共通電極２７０の各副領域との間にある液晶層部分である小領域は、電界印加時にその内部に位置する液晶分子の平均長軸方向によって４種類のドメインに分類されること。（段落【００３９】）
　
　タ　第１画素電極１９０aは、薄膜トランジスタを通じて画像信号電圧の印加を受けるのに対し、第２画素電極１９０bは、結合電極１７６との容量性結合によって電圧が変動するので、第２画素電極１９０bの電圧は、第１画素電極１９０bの電圧に比べて絶対値が常に低く、このように、一つの画素領域内に電圧が異なる二つの画素電極を配置すると、二つの画素電極を通じて互いに異なるガンマ曲線が形成され、このようなガンマ曲線は、互いに補償して、ガンマ曲線の歪曲を減少させることができ、これによって優れた視認性を確保できること。（段落【００３９】）
　
　チ　共通電極２７０電圧に対する第１画素電極１９０aの電圧をＶａとし、第２画素電極１９０bの電圧をＶｂとするとき、ＶｂはＶａに比べて常に小さいこと。（段落【００４４】）
　
（２）上記（１）から、発明の詳細な説明には、本願発明に関して、以下の技術事項が開示されているものと認められる。
　
　ア　液晶表示装置の側面視認性を向上させて視野角を拡張すること（上記（１）ア、イ、エ）について。
　（ア）一つの画素内に多重ドメインが存在しても、当該画素内で電場を生成する二つの電極の電位差が一定な場合には、正面ガンマ曲線と側面ガンマ曲線との差が極めて大きいこと。（上記（１）オ）
　（イ）ａ　二つの電界生成電極のうち一つの電極を二つの副電極に分けて互いに異なる電圧を印加すると、二つの副電極上の液晶層領域、つまり副領域にかかる電場の強さが変化し、二つの副領域内の液晶分子の傾斜角が異なるようになり、二つの副領域内の液晶分子の傾斜角差によって、側面からのガンマ曲線が正面からのガンマ曲線に近づき、その結果、正面と側面間の画面歪曲が減少し、視認性が優れた液晶表示装置を実現することができ、（上記（１）カ）
　ｂ　より具体的には、絶縁基板１１０上に、互いに垂直をなす切開部１９１、１９３を通じて第１画素電極及び第２画素電極を分離して形成し、第１画素電極が、薄膜トランジスタに接続され、第２画素電極が、第１画素電極と接続されている結合電極と重畳することで第１画素電極と容量性結合されており、一方、絶縁基板２１０下面には、ドメイン分割手段である切開部２７１、２７２、２７３を有する共通電極２７０を形成し、（上記（１）キないしケ、サ）
　ｃ　薄膜トランジスタ表示パネルとカラーフィルタ表示パネルを整列させた時、共通電極の切開部２７１、２７２、２７３は、対応するドメイン境界に位置する液晶分子を安定的かつ規則的に配列することができ、当該切開部２７１、２７２、２７３が、第１画素電極及び第２画素電極を各々複数の副領域に区分し、第１画素電極及び第２画素電極を各々４つの副領域に分け、上記第１画素電極及び第２画素電極の各副領域とこれに対応する共通電極の各副領域との間にある液晶層部分である小領域が、電界印加時にその内部に位置する液晶分子の平均長軸方向によって４種類のドメインに分類され、（上記（１）シないしソ）
　ｄ　第１画素電極は、薄膜トランジスタを通じて画像信号電圧Ｖａが印加されるのに対し、第２画素電極は、結合電極との容量性結合によって電圧が変動することにより第１画素電極の電圧Ｖａに比べて絶対値が常に低い第２画素電極の電圧Ｖｂが印加され、一つの画素領域内に電圧が異なる二つの画素電極を配置するから、当該二つの画素電極を通じて互いに異なるガンマ曲線が形成され、このようなガンマ曲線は、互いに補償して、ガンマ曲線の歪曲を減少させることができ、これによって優れた視認性を確保できること。（上記（１）タ、チ）
　
　イ　保持容量及び結合容量を十分に確保しつつ画素の開口率を高く維持できること（上記（１）エ）について。
　第２画素電極は、開口部１８８を通じて露出した第１絶縁膜のみを介在して結合電極と重畳していて、第２画素電極と結合電極の間では、狭い重畳面積で十分な結合容量を形成することができ、第１画素電極または第２画素電極と重畳して保持容量を形成する時に、第１画素電極と接続している結合電極及び維持電極は、ゲート絶縁膜のみを介在して重畳していて、結合電極と維持電極の間では、狭い重畳面積で十分な保持容量を形成することができ、結合容量及び保持容量を十分確保しながら結合電極と維持電極を重畳して配置することによって、画素の開口率を十分に確保できること。（上記（１）ケ、コ）
　
（３）上記（２）アの技術事項に照らせば、発明の詳細な説明には、
一つの画素領域内に電圧が異なる二つの画素電極（第１画素電極及び第２画素電極）を配置することにより
　しかるに、本願発明では、単に「保護膜の上に形成され、第１コンタクトホールを通して薄膜トランジスタの第３端子に接続され、第２コンタクトホールを通して結合電極に接続されている画素電極、を有し、前記画素電極は、画素領域の第１ドメインを定める第１部分、前記画素領域の第２ドメインを定める第２部分、前記画素領域の第３ドメインを定める第３部分、及び、前記画素領域の第４ドメインを定める第４部分を含み、前記第１ドメインと前記第２ドメインとは維持電極線の片側に配置され、前記第３ドメインと前記第４ドメインとは前記維持電極線の反対側に配置され、第１基板と第２基板との間に電圧が印加されるとき、前記第１ドメイン、前記第２ドメイン、前記第３ドメイン、及び前記第４ドメインのそれぞれで液晶分子の平均的な傾斜方向が異なる」ことが特定されるにとどまり、かかる特定事項によれば、画素領域には一つの画素電極が形成されれば足りるものと解され、この特定事項について、一つの画素領域内に電圧が異なる二つの画素電極を配置したものに限定して解することはできない。
　したがって、本願発明は、発明の詳細な説明に実質的に記載したものとはいえない。
　
（４）一つの画素領域内に電圧が異なる二つの画素電極である第１画素電極及び第２画素電極を用いることが前提となる上記（２）イの技術事項に照らしても、上記（３）のとおり判断することが相当である。
　
（５）また、上記（１）ウは、単に本願発明と同内容の事項をそのまま記載したものに過ぎず、上記（３）の判断は左右するものではない。
　
（６）なお、請求人は審判請求書において、「明細書及び図面には、２つの画素電極１９０ａ，１９０ｂを有する場合が示されていますが、「必要な維持容量が確保しやすくなること」及び「どの方向からみても同一な画質を有すること」は、上述の通り、１つの画素電極１９０ａ又は画素電極１９０ｂ（単一の画素電極）についていえます。」と主張する。しかし、上記（３）のとおり、本願発明は、画素領域に一つの画素電極が形成されれば足りるものであるところ、一つの画素電極であれば、画素内で電場を生成する当該画素電極と共通電極との電位差が一定であって、そのようなものは、上記（２）ア（ア）のように、正面ガンマ曲線と側面ガンマ曲線との差が極めて大きく、液晶表示装置の側面視認性を向上させて視野角を拡張することができないことが明らかであるから、上記主張は、本願発明についてするものとはいえず、採用できない。
　
（７）以上のとおり、本願発明は、発明の詳細な説明に実質的に記載したものとはいえないから、本願は、特許請求の範囲の記載が、特許法第３６条第６項第１号に規定する要件を満たしていない。
　
６　むすび 
　以上のとおり、本願は、特許請求の範囲の記載が、特許法第３６条第６項第１号に規定する要件を満たしていない。 
　よって、結論のとおり審決する。